(57)【要約】【課題】接続端子を回路遮断器の端子導体に固定する端子取付ネジを緩めても、接続端子が端子台から分離しない端子装置を得る。【解決手段】接続端子３７の第１の接続部３７１を、その第１の接続部に装着されるネジ手段９３により回路遮断器１の背面側から回路遮断器の端子導体４に直接又は間接的に螺合して接続すると共にその接続方向の変更を可能に構成し、、回路遮断器の背面に装着した端子台２２に、接続端子の第１の接続部が貫通孔２４１に対して所定の相対位置にあるとき接続端子に係合する係合部２４１１を設け、その係合部２４１１に接続端子３７が係合することにより、端子台２２の貫通孔２４１に対する接続端子３７の挿入及び抜取りを阻止するように構成した。【選択図】図４
2008159416.tif 000002
【特許請求の範囲】
【請求項１】
回路遮断器の背面に着脱自在に装着され前記回路遮断器の端子導体に対応する位置に貫通孔を備えた端子台と、前記貫通孔に挿入されて前記端子導体に接続される第１の接続部と前記回路遮断器を介して外部導体に接続される第２の接続部を有する接続端子とを備えた回路遮断器の端子装置であって、前記接続端子の第１の接続部は、前記第１の接続部に装着されるネジ手段により前記回路遮断器の背面側から前記端子導体に直接又は間接的に螺合されて接続されると共にその接続方向の変更が可能に構成され、前記端子台は、前記接続端子の第１の接続部が前記貫通孔に対して所定の相対位置にあるとき前記接続端子に係合する係合部を有し、前記接続端子は、前記係合部との係合により前記貫通孔に対する前記第１の接続部の挿入及び抜取りが阻止されるように構成されたことを特徴とする回路遮断器の端子装置。
【請求項２】
前記接続端子の第１の接続部は、前記端子導体に直接又は間接的に接続される接続面を有し、前記接続端子の第２の接続部は、前記外部導体に直接又は間接的に接続される接続面を有し、前記第１の接続部の接続面と前記第２の接続部の接続面とは、互いに直交する平面で構成されていることを特徴とする請求項１に記載の回路遮断器の端子装置。
【請求項３】
前記ネジ手段は、前記第１の接続部の相対向する両端部近傍に装着され少なくとも一部の部位が前記第１の接続部の外縁部から突出する一対のネジ手段からなり、前記端子台の係合部は、前記貫通孔の内周面の相対向する位置に設けられた少なくとも一対の突起により構成され、前記一対の突起が対向する間隔は、前記一対のネジ手段の前記突出した部位の最外端縁間の寸法より小さく設定され、前記貫通孔の前記突起が設けられていない内周面の相対向する間隔は、前記一対のネジ手段の前記突出した部位の最外端縁間の寸法より大きく設定されていることを特徴とする請求項１に記載の回路遮断器の端子装置。
【請求項４】
前記第１の接続部は、その外周部の相対向する位置に一対の突出部を備え、前記端子台の係合部は、前記貫通孔の内周面の相対向する位置に設けられた少なくとも一対の突起により構成され、前記一対の突起が対向する間隔は、前記一対の突出部の最外端縁間の寸法より小さく設定され、前記貫通孔の前記突起が設けられていない内周面の相対向する間隔は、前記記一対の突出部の最外端縁間の寸法より大きく設定されていることを特徴とする請求項１に記載の回路遮断器の端子装置。
【請求項５】
前記係合部は、前記貫通孔の内周面に前記貫通孔の中心の周りに９０度の間隔で配置された２対の突起により構成されていることを特徴とする請求項３又は４に記載の回路遮断器の端子装置。
【請求項６】
前記貫通孔の内周面に設けられた突起は、その前記接続端子の第１の接続部が挿入される側の表面に前記貫通孔の外側端部から内側内方へ傾斜する傾斜面を備え、前記接続端子は、前記第１の接続部が前記貫通孔に挿入されたとき前記突起の前記傾斜面に当接する傾斜部を備えたことを特徴とする請求項３又は４に記載の回路遮断器の端子装置。
【発明の詳細な説明】
【技術分野】
【０００１】
この発明は、配線用遮断器や漏電遮断器等の回路遮断器の端子装置、詳しくは、回路遮断器の裏面に装着され回路遮断器を外部導体に接続するようにした端子装置に関するものである。
【背景技術】
【０００２】
回路遮断器は、周知の通り電源と負荷との間の電路に接続され、必要に応じて操作員の操作により電路を開閉し、或いは過負荷時等の異常時に電路を自動的に遮断して負荷及び外部導体等を保護するために用いられるが、回路遮断器と外部導体との接続は、外部導体である外部導体の設置状況に対応して行う必要がある。そのため、従来、回路遮断器の裏面に、外部導体の設置方向に対応して取付方向を変化させ得る端子装置を装着し、この端子装置を介して外部導体と回路遮断器とを接続する、所謂、裏面形と称される回路遮断器と外部導体との接続方式が提案されている（例えば、特許文献１参照）。
【０００３】
特許文献１に示された従来の回路遮断器の端子装置は、回路遮断器の裏面に装着される端子台と端子金具とを備えている。回路遮断器は、配電盤の表面側に設置されるが、配電盤には予め回路遮断器の裏面に装着された端子金具を貫通させるための取付孔が形成されており、回路遮断器がその配電盤に設置されたたき、端子装置は取付孔を介して配電盤の裏面側に突出した状態となる。この状態で、配電盤の裏面側に於いて端子金具と外部導体との接続を行い、回路遮断器を外部導体に接続するものである。この接続方式は、配電盤の表面側には回路遮断器が設置されているだけであり、配電盤の裏面側で外部導体と端子金具との接続作業が行われるので、裏面形と称される所以である。
【０００４】
特許文献１に示された端子装置の端子金具は、回路遮断器の表面側、即ち配電盤の表面側から挿入したネジによって回路遮断器に装着される。電源側の外部導体、及び負荷側の外部導体は、通常、平角導体で構成されているが、配電盤での配線作業の自由度を増すため、外部導体は、その幅方向が配電盤に設置した回路遮断器の幅方向（回路遮断器の極間方向）となるように配置される、所謂、水平配置の場合と、回路遮断器の幅方向に対して直交する方向となるように配置される、所謂、垂直配置の場合とがある。そのため、回路遮断器の背面に装着される端子装置の端子金具は、外部導体の水平配置、垂直配置の何れにも追従できるよう、回路遮断器への取付方向が可変となるよう構成されている。
【０００５】
一方、裏面型の回路遮断器に於いて、その背面側、即ち配電盤の裏面側からネジを操作して端子金具を回路遮断器に装着するようにした別の従来の端子装置が提案されている（例えば、特許文献２参照）。
【０００６】
【特許文献１】特開平８−７７４０号公報
【特許文献２】実開昭５５−２４７３４号公報
【発明の開示】
【発明が解決しようとする課題】
【０００７】
特許文献１に示された従来の装置にあっては、回路遮断器を配電盤に設置した後、配電盤内の外部導体の配線レイアウトの見直し、或いは変更等が生じた場合、回路遮断器の端子金具の向きを変える必要があるが、配電盤は閉鎖された箱体で構成されているため、例えば、一人の作業者が六角レンチ等を用いて端子金具を回路遮断器に固定しているネジを緩め、もう一人の作業者が配電盤の裏面側即ち配電盤の内部にてその端子金具を支え、端子金具の落下を防ぐ等の手段を講じる必要があり、作業に於ける省力化の妨げとなっていた。又、一人の作業者でそれらの作業を行うには、配電盤に設置した回路遮断器を一旦取外さねばならず、作業効率の点で好ましくない。
【０００８】
一方、特許文献２に示された従来の装置は、配電盤の裏面側から一人の作業者で端子金具の取付け、取外しが可能であり、作業に於ける省力化、或いは作業改善が図られているが、端子金具の脱落防止にあたっては、当然ながら回路遮断器から一旦分離された端子金具を保持、或いは場合によっては一旦保管せねばならず、又、保持或いは保管した端子金具を紛失する恐れもあり、作業効率の点では不十分である。
【０００９】
この発明は、従来の回路遮断器の端子装置に於ける上述のような課題を解決し、回路遮断器と外部導体との接続作業を容易に行うことができる回路遮断器の端子装置を提供することを目的とする。
【課題を解決するための手段】
【００１０】
この発明に係る回路遮断器の端子装置は、回路遮断器の背面に着脱自在に装着され前記回路遮断器の端子導体に対応する位置に貫通孔を備えた端子台と、前記貫通孔に挿入されて前記端子導体に接続される第１の接続部と前記回路遮断器を介して外部導体に接続される第２の接続部を有する接続端子とを備えた回路遮断器の端子装置であって、前記接続端子の第１の接続部は、前記第１の接続部に装着されるネジ手段により前記回路遮断器の背面側から前記端子導体に直接又は間接的に螺合されて接続されると共にその接続方向の変更が可能に構成され、前記端子台は、前記接続端子の第１の接続部が前記貫通孔に対して所定の相対位置にあるとき前記接続端子に係合する係合部を有し、前記接続端子は、前記係合部との係合により前記貫通孔に対する前記第１の接続部の挿入及び抜取りが阻止されるように構成されたものである。
この発明に於いて、ネジ手段とは、ネジ頭部を有するネジ単体、若しくはネジ頭部を有するネジとこのネジに装着されるワッシャとの組合わせ体、の何れをも意味する。
この発明に於いて、接続方向の変更とは、端子導体の幅方向の変更を生じさせる接続方向の変更を意味する。
【発明の効果】
【００１１】
この発明による回路遮断器の端子装置によれば、接続端子の第１の接続部は、その第１の接続部に装着されるネジ手段により回路遮断器の背面側から回路遮断器の端子導体に直接又は間接的に螺合されて接続されると共にその接続方向の変更が可能に構成され、端子台は、接続端子の第１の接続部が貫通孔に対して所定の相対位置にあるとき接続端子に係合する係合部を有し、その係合部に接続端子が係合することにより、端子台の貫通孔に対する接続端子の第１の接続部の挿入及び抜取りが阻止されるように構成されているので、配電盤等の外部導体の配線のレイアウト変更等が行われて外部導体の向きが変更されたような場合でも、回路遮断器の背面側、即ち配電盤等の裏面側から、端子装置を回路遮断器から分離することなくその取付け方向等の変更作業を、安全且つ効率良く行うことができる。
【発明を実施するための最良の形態】
【００１２】
実施の形態１．
図１は、この発明の実施の形態１に於ける端子装置を備えた回路遮断器の正面図、図２は、図１に於けるＡ−Ａ線に沿う矢印方向の断面図、図３は、図１のＢ−Ｂ線に沿う矢印方向の断面図である。図４は、この発明の実施の形態１に係る端子装置の端子取付ベースを説明する説明図で、図２の矢印Ｃ方向から見た図であり、接続端子を端子取付ベースから分離した状態で示している。図５は、この発明の実施の形態１に係る端子装置の接続端子を説明する説明図で、図２の矢印Ｃ方向から見た図であり、端子取付ベースから分離した状態で示している。図６は、この発明の実施の形態１に係る端子装置の平面図で、接続端子が端子取付ベースに装着された状態で示している。図７は、この発明の実施の形態１に係る端子装置の底面図で、接続端子が端子取付ベースに装着された状態で示している。
【００１３】
図１乃至図７に於いて、三相用に構成された回路遮断器１は、その背面側に、電路の外部導体（図示せず）に接続される後述の端子装置１７、１８が装着される。この回路遮断器１は、所謂、背面型である。回路遮断器１は、合成樹脂により形成されたベース２とカバー３とを備える。ベース２には、回路遮断器１の幅方向に併置された３極の電源側端子導体４、５、６と、負荷側端子導体７、８、９とが設けられている。電源側端子導体４、５、６と負荷側端子導体７、８、９との間には、可動接点１０を備えた可動接触子１１が極毎に設けられている。これらの可動接触子１１は、操作ハンドル１２により操作される開閉機構１３により、クロスバー１４を介して各極一括して駆動され、これにより可動接点１０が電源側端子導体４、５、６に設けられた固定接点１５に対し接触又は離反し、電源側端子導体４、５、６と負荷側端子導体７、８、９とに接続された電路の開閉が行われる。又、回路遮断器１には、過負荷に応動する過負荷引外手段１６が設けられ、過負荷時にこの過負荷引外手段１６が動作して開閉機構１３をトリップ動作させ、可動接点１０を固定接点１５から離反させて電路を開放するよう構成されている。
【００１４】
電源側端子導体４、５、６は、夫々一対の締付ボルト４０１１と４０１２、５０１１と５０１２、６０１１と６０１２により、導体ブロック４０１、５０１、６０１に締結され電気的に接続されている。又、負荷側端子導体７、８、９は、夫々一対の締付ボルト７０１１と７０１２、８０１１と８０１２、９０１１と９０１２により、導体ブロック７０１、８０１、９０１に締結され電気的に接続されている。
【００１５】
尚、回路遮断器１を、その背面に端子装置を接続しない構成、所謂、表面型とする場合は、負荷側端子導体７、８、９と締付ボルト７０１１と７０１２、８０１１と８０１２、９０１１と９０１２、との間に外部導体、若しくは圧着端子を挟んで固定して電気的に接続し、又、導体ブロック４０１、５０１、６０１と締付ボルト４０１１と４０１２、５０１１と５０１２、６０１１と６０１２、との間に外部導体、若しくは圧着端子を挟んで固定して電気的に接続する。電源側の導体ブロック４０１、５０１、６０１と負荷側の導体ブロック７０１、８０１、９０１との形状及び配置が異なるのは、配置されている外部導体の高さに合わせて、電源側と負荷側とで同一高さで外部導体を接続するためである。以上の回路遮断器１の構成は、背面型、表面型の如何にかかわらず同一構成であり、背面型、表面型の何れの接続方式にも兼用される。
【００１６】
ベース２の背面、即ち回路遮断器１の背面には、この発明の実施の形態１に係る端子装置１７及び１８が着脱自在に装着されている。端子装置１７、１８は同一構成であり、その一方の端子装置１７が回路遮断器１のベース２の電源側端子導体４、５、６側の背面に装着され、他方の端子装置１８が回路遮断器１のベース２の負荷側端子導体７、８、９側の背面に装着される。回路遮断器１は、配電盤の遮断器取付板１９に取付けられるが、遮断器取付板１９には取付孔２０、２１が形成されており、端子装置１７、１８の一部は、夫々取付孔２０、２１を貫通して遮断器取付板１９の裏面側、即ち配電盤の内部に突出する。
【００１７】
次に、端子装置１７に於いて、その端子台である端子取付ベース２２について、主として図４、図６、及び図７を用いて説明する。図４、図６及び図７に於いて、端子装置１７の端子取付ベース２２は、合成樹脂により形成され、回路遮断器１の電源側端子導体４、５、６に対応する位置に、端子取付ベース２２の裏面２３に突出する円筒状の壁部２４、２５、２６に囲まれた貫通孔２４１、２５１、２６１を備えている。これらの貫通孔２４１、２５１、２６１の断面形状は、円形である。又、図７に示すように、端子取付ベース２２の表面２７には、回路遮断器１のベース２の電源側端子導体４、５、６が設けられている側の端面に当接する凸条部２８が設けられている。
【００１８】
円筒状の壁部２４、２５、２６の端部に対応する貫通孔２４１、２５１、２６１の内周面には、相対向する位置に突出して設けられた第１の一対の突起２４１１と２４１２、２５１１と２５１２、２６１１と２６１２が、夫々形成されている。更に、円筒状の壁部２４、２５、２６の端部に対応する貫通孔２４１、２５１、２６１の内周面には、第２の一対の突起２４２１と２４２２、２５２１と２５２２、２６２１と２６２２が、夫々形成されている。第１の一対の突起２４１１と２４１２、２５１１と２５１２、２６１１と２６１２に対して、第２の一対の突起２４２１と２４２２、２５２１と２５２２、２６２１と２６２２は、貫通孔２４１、２５１、２６１の中心の回りに９０度回転した位置にある。これらの第１の一対の突起２４１１と２４１２、２５１１と２５１２、２６１１と２６１２、及び第２の一対の突起２４２１と２４２２、２５２１と２５２２、２６２１と２６２２は、この発明に於ける係合部を構成している。
【００１９】
又、夫々の第１の突起２４１１と２４１２、２５１１と２５１２、２６１１と２６１２、及び第２の一対の突起２４２１と２４２２、２５２１と２５２２、２６２１と２６２２の、後述する接続端子を挿入する側の表面には、貫通孔２４１、２５１、２６１の外側端部から内側内方へ傾斜する傾斜面２４１１Ｓ、２４１２Ｓ、２５１１Ｓ、２５１２Ｓ、２６１１Ｓ、２６１２Ｓ、及び２４２１Ｓ、２４２２Ｓ、２５２１Ｓ、２５２２Ｓ、２６２１Ｓ、２６２２Ｓを備えている。
【００２０】
次に、端子装置１８に於いて、その端子台である端子取付ベース２９について、主として図２及び図４を用いて説明する。図４に於いて、端子装置１８の端子取付ベース２９は、前述の端子装置１７に於ける端子取付ベース２２と同様に合成樹脂により形成され、回路遮断器１の負荷側端子導体７、８、９に対応する位置に、端子取付ベース２９の裏面３０に突出する円筒状の壁部３１、３２、３３に囲まれた貫通孔３４１、３５１、３６１を備えている。これらの貫通孔３４１、３５１、３６１の断面形状は、円形である。又、端子取付ベース２９の表面３７には、回路遮断器１のベース２の負荷側端子導体７、８、９が設けられている側の端面に当接する凸条部３８が設けられている。
【００２１】
円筒状の壁部３１、３２、３３の端部に対応する貫通孔３４１、３５１、３６１の内周面には、相対向する位置に突出して設けられた第１の一対の突起３４１１と３４１２、３５１１と３５１２、３６１１と３６１２、が夫々形成されている。更に、円筒状の壁部３１、３２、３３の端部に対応する貫通孔３４１、３５１、３６１の内周面には、第２の一対の突起３４２１と３４２２、３５２１と３５２２、３６２１と３６２２が、夫々形成されている。第１の一対の突起３４１１と３４１２、３５１１と３５１２、３６１１と３６１２に対して、第２の一対の突起３４２１と３４２２、３５２１と３５２２、３６２１と３６２２は、貫通孔３４１、３５１、３６１の中心の回りに９０度回転した位置にある。
【００２２】
夫々の第１の突起３４１１と３４１２、３５１１と３５１２、３６１１と３６１２、及び第２の突起３４２１と３４２２、３５２１と３５２２、３６２１と３６２２の、後述する接続端子を挿入する側の表面には、貫通孔３４１、３５１、３６１の外側端部から内部側へ傾斜する傾斜面３４１１Ｓ、３４１２Ｓ、３５１１Ｓ、３５１２Ｓ、３６１１Ｓ、３６１２Ｓ、及び３４２１Ｓ、３４２２Ｓ、３５２１Ｓ、３５２２Ｓ、３６２１Ｓ、３６２２Ｓを備えている。
【００２３】
次に、端子装置１７に於いて、その接続端子について、主として図５、図６及び図７を用いて説明する。図５、図６及び図７に於いて、端子装置１７は、端子取付ベース２２の貫通孔２４１、２５１、２６１に夫々挿入される接続端子３７、３８、３９を備えている。接続端子３７、３８、３９は、平角導体により構成され、夫々その一端に固着された第１の接続部３７１、３８１、３９１を備え、他端に第２の接続部３７２、３８２、３９２を備えている。第１の接続部３７１、３８１、３９１は、接続端子３７、３８、３９の長さ方向に軸心を有するほぼ円盤形に形成され、その端面にほぼ円形の接続面３７１０、３８１０、３９１０を有している。第１の接続部３７１、３８１、３９１は、接続端子３７、３８、３９の平角導体の先端部にロウ付け等により固着されている。又、第１の接続部３７１、３８１、３９１は、その周縁の近傍の相対向する位置に、第１の接続部３７１、３８１、３９１の周縁により一部分が切り欠かれた一対の端子取付ネジ貫通用孔４１と４２、５１と５２、６１と６２を備えている。
【００２４】
接続端子３７、３８、３９の他端に形成された第２の接続部３７２、３８２、３９２は、第１の接続部３７１、３８１、３９１の接続面３７１０、３８１０、３９１０に対してほぼ直交する方向に延びる接続面３７２０、３８２０、３９２０を、その両側部に備えている。この第２の接続部３７１、３８１、３９１の接続面３７２０、３８２０、３９２０には、夫々一対の端子取付ネジ貫通用孔７１と７２、８１と８２、９１と９２が形成されている。
【００２５】
接続端子３７、３８、３９を構成する平角導体は、第１の接続部３７１、３８１、３９１に固着された部位であってその端縁の幅が第１の接続部３７１、３８１、３９１の直径とほぼ同一の寸法に形成された小幅部と、第２の接続部３７２、３８２、３９２に繋がる部位であってその端縁の幅が第１の接続部３７１、３８１、３９１の直径より大きな寸法となるように形成された大幅部とを有している。そして、その小幅部と大幅部とは、大幅部から小幅部に向って傾斜する傾斜部３７１１Ｓと３７１２Ｓ、３８１１Ｓと３８１２Ｓ、３９１１Ｓと３９１２Ｓにより、夫々接続されている。
【００２６】
次に、端子装置１８に於いて、その接続端子について、主として図３及び図５を用いて説明する。図３及び図５に於いて、端子装置１８は、端子取付ベース２９の貫通孔３４１、３５１、３６１に夫々挿入される接続端子７３、７４、７５を備えている。この接続端子７３、７４、７５は、平角導体により構成され、夫々その一端に固着された第１の接続部７３１、７４１、７５１を備え、他端に第２の接続部７３２、７４２、７５２を備えている。第１の接続部７３１、７４１、７５１は、接続端子７３、７４、７５の長さ方向に軸心を有するほぼ円盤形に形成され、その端面にほぼ円形の接続面７３１０、７４１０、７５１０を有している。第１の接続部７３１、７４１、７５１は、接続端子７３、７４、７５の平角導体の先端部にロウ付け等により固着されている。又、第１の接続部７３１、７４１、７５１は、その周縁の近傍の相対向する位置に、第１の接続部７３１、７４１、７５１の周縁により一部分が切り欠かれた一対の端子取付ネジ貫通用孔８３と８４、８５と８６、８７と８８を備えている。
【００２７】
接続端子７３、７４、７５の他端に形成された第２の接続部７３２、７４２、７５２は、第１の接続部７３１、７４１、７５１の接続面７３１０、７４１０、７５１０に対してほぼ直交する方向に延びる接続面７３２０、７４２０、７５２０を、その両側部に備えている。この第２の接続部７３２、７４２、７５２の接続面７３２０、７４２０、７５２０には、夫々一対の端子取付ネジ貫通用孔８３と８４、８５と８６、８７と８８が形成されている。
【００２８】
又、接続端子７３、７４、７５を構成する平角導体は、第１の接続部７３１、７４１、７５１に固定された部位であってその端縁の幅が第１の接続部７３１、７４１、７５１の直径とほぼ同一の寸法に形成された小幅部と、第２の接続部７３２、７４２、７５２に繋がる部位であってその端縁の幅が第１の接続部７３１、７４１、７５１の直径より大きな寸法となるように形成された大幅部とを有している。そして、その小幅部と大幅部とは、大幅部から小幅部に向って傾斜する傾斜部７３１１Ｓと７３１２Ｓ、７４１１Ｓと７４１２Ｓ、７５１１Ｓと７５１２Ｓにより、夫々接続されている。
【００２９】
図８は、図７のＧ−Ｇ線に沿う矢印方向の断面図、図９は、図８の破線で囲むＸ部分の拡大図である。図７乃至図９に於いて、接続端子３７、３８、３９は、その第１の接続部３７１、３８１、３９１に設けられた端子取付ネジ貫通用孔４１と４２、５１と５２、６１と６２に、端子取付ネジ９３と９４、９５と９６、９７と９８、及びワッシャ１０１と１０２、１０３と１０４、１０５と１０６が装着されて、端子取付ベース２２の貫通孔２４１、２５１、２６１に挿入された状態にある。そして、接続端子３７、３８、３９に装着されたワッシャ１０１、１０２、１０３、１０４、１０５、１０６は、夫々の貫通孔２４１、２５１、２６１の第１の一対の突起２４１１と２４１２、２５１１と２５１２、２６１１と２６１２に夫々対応した位置にある。
【００３０】
端子取付ネジ９３と９４、９５と９６、９７と９８は、接続端子３７、３８、３９の第１の接続部３７１、３８１、３９１に設けられた端子取付ネジ貫通用孔４１と４２、５１と５２、６１と６２に、ワッシャ１０１と１０２、１０３と１０４、１０５と１０６を装着して端子取付ベース２２の裏面２７側から挿入されているが、端子取付ネジ貫通用孔４１と４２、５１と５２、６１と６２は、接続端子３７、３８、３９の第１の接続部３７１、３８１、３９１の外周側に偏心して設けられているため、前述したように一部が欠けており、そのため、端子取付ネジ９３と９４、９５と９６、９７と９８のネジ部の一部分が端子取付ネジ貫通用孔４１と４２、５１と５２、６１と６２から露出していると共に、ワッシャ１０１と１０２、１０３と１０４、１０５と１０６、及びネジ頭部９３１と９４１、９５１と９６１、９７１と９８１が、接続端子３７、３８、３９の第１の接続部３７１、３８１、３９１の外周部から夫々突出している。
【００３１】
図９に示すように、端子取付ネジ９７、９８が、接続端子３９の端子取付ネジ貫通用孔６１、６２に装着された状態に於いて、一対のワッシャ１０５、１０６の最外端縁間の寸法Ｖは、端子取付ベース２２の貫通孔２６１に於ける第１の一対の突起２６１１、２６１２間の寸法Ｗより大きくなるよう設定されている。又、図示していないが、第２の一対の突起２６２１、２６２２間の寸法は、第１の一対の突起２６１１、２６１２間の寸法Ｗと同一に形成されており、従って、一対のワッシャ１０５、１０６の最外端縁間の寸法Ｖは、第２の一対の突起２６２１、２６２２間の寸法Ｗより大きく設定されている。これにより、接続端子３９の第１の接続部３９１は、図９に示す状態では、一対のワッシャ１０５、１０６が一対の突起２６１１、２６１２に係合するので、端子取付ベース２２の貫通孔２６１から抜取ることはできない。
【００３２】
接続端子３７、３８に装着されたワッシャ１０１と１０２、１０３と１０４と、端子取付ベース２２の貫通孔２４１、２５１に於ける第１の一対の突起２４１１と２４１２、２５１１と２５１２、及び第２の一対の突起２４２１と２４２２、２５２１と２５２２との寸法の関係も、前述と同様である。
【００３３】
図１０は、図６のＦ−Ｆ線に沿う矢印方向の断面図である。図１０では、端子取付ベース２２の貫通孔２４１内に挿入された接続端子３７が、貫通孔２４１の第１の一対の突起２４１１と２４１２と、第２の一対の突起２４２１と２４２２との、何れにも係合していない位置にある状態を示している。即ち、接続端子３７は、図６に示す様に、その平角導体の幅方向中心線Ｙ１が、貫通孔２４１の中心を通り端子取付ベース２２の短辺に平行な直線Ｙ２に対して反時計方向に４５度回転した位置にある状態で、端子取付ネジ９３と９４、及びワッシャ１０１と１０２が装着されて貫通孔２４１内に挿入されている。
【００３４】
従って、ワッシャ１０１の外端縁は、貫通孔２４１の内周面に於ける突起２４１１と２４２１との中間部２４００に位置しており、ワッシャ１０２の外端縁は、貫通孔２４１の内周面に於ける突起２４１２と２４２２との中間部２５００に位置している。図１０に示すように、一対のワッシャ１０１と１０２の最外端縁間の寸法Ｖは、突起２４１１と２４２１との中間部２４００と突起２４１２と２４２２との中間部２５００との間の寸法Ｒより僅かに小さく設定されている。従って、接続端子３７が貫通孔２４１に対して図１０に示す相対位置にあるときは、貫通孔２４１に対して、接続端子３７の第１の接続部３７１の挿入及び抜取りが可能である。他の接続端子３８、３９と、他の貫通孔２５１、２６１との関係も、接続端子３７と貫通孔２４１との関係と同一である。
【００３５】
以上、端子装置１７に於ける、端子取付ベース２２と接続端子３７、３８，３９との関係について説明したが、端子装置１８に於ける端子取付ベース２９と接続端子７３、７４、７５、ワッシャ、端子取付ネジとの関係は、前述した接続端子１７に於ける端子取付ベース２２と接続端子３７、３８、３９との関係と同一であるので、その説明を省略する。
【００３６】
次に、以上のように構成された回路遮断器、及びこの発明の実施の形態１に係る端子装置の、配電盤及び外部導体への取付け、取外しについて説明する。回路遮断器１を裏面形とするには、図１及び図２に示すように、先ず、回路遮断器１の電源側（図１、図２、図４、図５に於ける上側）の裏面に端子装置１７の端子取付ベース２２を装着し、負荷側（図１、図２、図４、図５に於ける下側）の裏面に、端子装置１８の端子取付ベース２９を装着する。次に、作業員は、この回路遮断器１を、端子取付ベース２２、２９を介して配電盤の遮断器取付板１９の表面側に固定する。このとき、遮断器取付板１９には予め取付孔２０、２１が形成されているので、回路遮断器１の背面に装着された端子取付ベース２２、２９の裏面２７、３０に設けられている壁部２４、２５、２６、及び３１、３２、３３は、その取付孔２０、２１を貫通して遮断器取付板１９の背面、即ち配電盤の内部側に突出する。
【００３７】
尚、この発明の実施の形態１では、配電盤に配設された外部導体は、電源側に於いてはその幅方向が配電盤に設置した回路遮断器１の幅方向（回路遮断器の極間方向）となるように配置された、所謂、水平配置であり、負荷側に於いてはその幅方向が回路遮断器１の幅方向に対して直交する方向である、所謂、垂直配置とされているものとする。
【００３８】
作業員は、回路遮断器１を配電盤の遮断器取付板１９に取付けた後、遮断器取付板１９の裏面側に廻り、端子装置１７の端子取付ベース２２に設けられた貫通孔２４１、２５１、２６１、及び端子装置１８の端子取付ベース２９に設けられた貫通孔３４１、３５１、３６１に、接続端子３７、３８、３９、及び７３、７４、７５を、以下のようにして夫々挿入し固定する。
【００３９】
先ず、遮断器取付板１９の裏面に突出している電源側の端子装置１７に於ける端子取付ベース２２の貫通孔２４１、２５１、２６１に対し、接続端子３７、３８、３９を、図６に示す接続端子３７のように、平角導体の幅方向中心線Ｙ１が、貫通孔の中心を通り端子取付ベース２２の短辺に平行な直線Ｙ２に対して反時計方向に４５度回転した相対位置とし、この状態で夫々接続端子３７、３８、３９の第１の接続部３７１、３８１、３９１を、間通行２４１、２５１、２６１に挿入する。このとき、接続端子３７、３８、３９の第１の接続部３７１、３８１、３９１は、予め、端子取付ネジ９３と９４、９５と９６、９７と９８、及びワッシャ１０１と１０２、１０３と１０４、１０５と１０６が装着された状態で夫々の貫通孔２４１、２５１、２６１に挿入される。又、同様にして、遮断器取付板１９の裏面に突出している負荷側の端子装置１８に於ける端子取付ベース２９の貫通孔３４１、３５１、３６１にも、接続端子７３、７４、７５の第１の接続部７３１、７４１、７５１を挿入する。
【００４０】
尚、端子装置１７と端子装置１８との作業順序は、何れが先でもよいことは勿論である。又、場合によっては、夫々の端子装置１７、１８に於いて、接続端子の第１の接続部を貫通孔に挿入した後、端子取付ネジとワッシャを装着することもあり得る。
【００４１】
今、仮に、配電盤に配設された電源側の外部導体が垂直配置されているとすれば、電源側の端子装置１７に於ける接続端子３７、３８、３９を、その垂直配置された外部導体に合わせて垂直配置とする必要がある。この場合、図６に一例を示す接続端子３７のように、平角導体の幅方向中心線Ｙ１が、貫通孔２４１の中心を通り端子取付ベース２２の短辺に平行な直線Ｙ２に対して反時計方向に４５度回転した位置で、端子取付ベース２２の貫通孔２４１、２５１、２６１に挿入されている接続端子３７、３８、３９を、その位置から時計方向に４５度回転させ、接続端子３７、３８、３９を構成する平角導体の幅方向中心線Ｙ１が端子取付ベース２２の短辺に平行な直線Ｙ２に一致するように配置する。図６に於ける接続端子３８、３９、及び図７、図８に於ける接続端子３７、３８、３９は、そのように操作された状態で示されている。
【００４２】
図１１は、この発明の実施の形態１に於ける端子装置の接続端子の取付け手順を説明する説明図で、（ａ）は、接続端子３９をその平角導体の幅方向中心線Ｙ１が端子取付ベース２２の短辺に平行な直線Ｙ２に一致するように配置し、且つ、電源側端子導体６側の導体ブロック６０１に取付ネジ９７、９８を螺合する前の状態を示している。この図１１の（ａ）に示す状態から、接続端子３９に装着されている取付ネジ９７と９８を電源側端子導体６側の導体ブロック６０１に螺合し、図１１の（ｂ）に示すように端子装置３９を電源側端子導体６に固定すると共に電気的に接続する。
【００４３】
このとき、接続端子３９の平角導体の両側に設けられた傾斜部３９１２Ｓ、３９１１Ｓは、端子取付ベース２２の貫通孔２６１の第２の一対の突起２６２１、２６２２に設けられた傾斜面２６２１Ｓ、２６２２Ｓに夫々当接し、この傾斜面２６２１Ｓ、２６２２Ｓがガイドとなり、接続端子３９の位置決めが行われる。
【００４４】
勿論、電源側端子導体４、５、６、負荷側端子導体７、８、９、及び電源側の導体ブロック４０１、５０１、６０１、負荷側の導体ブロック７０１、８０１、９０１、及び端子取付ベース２２、２９とその貫通孔２４１、２５１、２６１、３４１、３５１、３６１とで構成される螺着部は、接続端子３７、３８、３９、７３、７４、７５が水平若しくは垂直となり安定するよう設計されているが、一方では、クリアランスの関係から多少のガタツキが生じることは否めない。そこで、特に、３極、あるいは４極のような多極回路遮断器では、このガタツキを修正して接続端子間の平行度を保持することが求められる。この発明の実施の形態１によれば、端子取付ベースの夫々の突起に傾斜面を設け、この傾斜面に接続端子の傾斜部を当接させることにより、そのガタツキをなくして夫々の接続端子間の平行度を容易に確保することができ、作業効率を改善することができる。
【００４５】
さて、電源側の外部導体が垂直配置されている場合に、以上のようにして電源側の端子装置１７に於ける接続端子３７、３８、３９は、回路遮断器１の電源側の導体ブロック４０１、５０１、６０１に固定され電気的に接続されるが、この発明の実施の形態１では、前述したように電源側の外部導体は水平配置されているので、端子装置１７に於ける接続端子３７、３８、３９は、図７に示す配置から時計方向又は反時計方向に９０度回転させた水平配置とされる。この水平配置の場合に於いては、接続端子３７の取付ネジ９３、９４及びワッシャ１０１、１０２は、端子取付ベース２２の第１の一対の突起２４１１、２４１２に係合する位置に対応し、且つ、接続端子３７の傾斜部３７１１Ｓ、３７１２Ｓは、第１の一対の突起２４１１、２４１２の傾斜面２４１１Ｓ、２４１２Ｓに当接することとなる。他の接続端子３８、３９も同様である。図２に示す端子装置１７は、接続端子をそのように水平配置した場合を示している。
【００４６】
一方、負荷側の端子装置１８は、実施の形態１によれば負荷側の外部導体が垂直配置とされているので、夫々の接続端子７３、７４、７５は、図２に示すように垂直配置として回路遮断器１の負荷側の導体ブロック７０１、８０１、９０１に固定され電気的に接続される。
【００４７】
以上のようにして、配電盤の遮断器取付版１９の裏面側から、電源側の端子装置１７の接続端子３７、３８、３９、及び負荷側の端子装置１８の接続端子７３、７４、７５の第１の接続部を回路遮断器１に接続した後、これらの接続端子の第２の接続部３７２、３８２、３９２、及び７３２、７４２、７５２を、外部導体に端子取付ネジ（図示せず）により固定すると共に電気的に接続し、回路遮断器１の外部導体への接続作業を完了する。
【００４８】
次に、配電盤に設置した外部導体の配置を変更する場合、例えば、電源側の外部導体を実施の形態１に示す水平配置から垂直配置に変更した場合の、端子装置１７に於ける接続端子３７、３８、３９の配置変更について説明する。この場合、接続端子３７、３８、３９は、電源側の外部導体が水平配置に変更されるので、これに対応して水平配置とする必要がある。そこで、遮断器取付板１９の裏面側から、先ず、接続端子３７、３８、３９を固定している端子取付ネジ９３と９４、９５と９６、９７と９８の螺合を解き、接続端子３７、３８、３９を導体ブロック４０１、５０１、６０１から外す。
【００４９】
このとき、接続端子３７、３８、３９は、重力等により端子取付ベース２２の貫通孔２４１、２５１、２６１から抜け落ちようとするが、接続端子３７、３８、３９の第１の接続部３３７１、３８１、３９１に装着されているワッシャ１０１と１０２、１０３と１０４、１０５と１０６の外端縁が、貫通孔２４１、２５１、２６１の第２の一対の突起２４２１と２４２２、２５２１と２５２２、２６２１と２６２２に係合するので、接続端子３７、３８、３９は、貫通孔２４１、２５１、２６１から抜け落ちることはない。
【００５０】
次に、夫々の接続端子３７、３８、３９を水平配置から時計方向または反時計方向に９０度回転させて、図７及び図８に示すように垂直配置とする。このときも、接続端子３７、３８、３９は、重力等により端子取付ベース２２の貫通孔２４１、２５１、２６１から抜け落ちようとするが、図８に示すように、ワッシャ１０１と１０２、１０３と１０４、１０５と１０６の外端縁が、貫通孔２４１、２５１、２６１の第１の一対の突起２４１１と２４１２、２５１１と２５１２、２６１１と２６１２に係合するので、接続端子３７、３８、３９は、貫通孔２４１、２５１、２６１から抜け落ちることはない。
【００５１】
次に、図８に示す状態から、端子取付ネジ９３と９４、９５と９６、９７と９８を、回路遮断器１の電源側の導体ブロック４０１、５０１、６０１に再度螺合し、接続端子３７、３８、３９を導体ブロック４０１、５０１、６０１に固定し電気的に接続する。以上のようにして、電源側の外部導体の配置変更に対応して、端子装置１７に於ける接続端子３７、３８、３９の配置変更を行い、その配置変更した接続端子３７、３８、３９の第２の接続部３７２、３８２、３９２を外部導体に接続する。
【００５２】
又、負荷側の外部導体が、垂直配置から水平配置に変更されたとすれば、前述の端子装置１７に於ける接続端子の配置変更と同様の要領にて、端子装置１８に於ける接続端子７３、７４、７５の配置を垂直配置から水平配置に変更し、その配置変更した接続端子７３、７４、７５の第２の接続部７３２、７４２、７５２を外部導体に接続する。
【００５３】
以上述べたように、この発明の実施の形態１による端子装置によれば、端子装置１７、１８の接続端子が貫通孔から脱落することがないので、接続端子の取付け時、若しくは配置変更時に、この接続端子が落下しないよう手で支えて次の作業工程、例えば、外部導体の配線変更や整形に取り掛かる必要がなく、作業を安全に、しかも一人の作業で効率よく行うことができる。
【００５４】
実施の形態２．
図１２は、この発明の実施の形態２における端子装置の接続端子１０００の正面図である。接続端子１０００は、その第１の接続部１００１に、相対向する外縁部に突出する一対の突出部１００２、１００３を備える。端子取付ネジ貫通用孔１００４、１００５は、突出部１００２、１００３の近傍に設けられているが、その端子取付ネジ貫通用孔１００４、１００５に、端子取付ネジ及びワッシャを装着したときワッシャの外端縁が突出部１００２、１００３の外縁部から外に突出することはない。
【００５５】
一対の突出部１００２と１００３の最外端縁間の寸法Ｖは、端子取付ベースに設けられている貫通孔の、第１の一対の突起間及び第２の一対の突起間の寸法Ｗより大きく、且つ、第１の一対の突起と第２の一対の突起とが設けられていない貫通孔の相対向する内壁間の寸法より小さく設定されている。従って、一対の突出部１００２と１００３とを、貫通孔の突起が設けられていない部位に対向させることにより、接続端子１０００を端子取付ベースの貫通孔に対して挿入又は抜取ることができ、一対の突出部１００２と１００３とを、貫通孔の突起に対向させることにより、接続端子１０００の端子取付ベースの貫通孔からの抜取り若しくは脱落を防止することができる。その他の構成は、実施の形態１と同様である。
【００５６】
尚、以上の説明では、端子取付ベースの貫通孔に、第１の一対の突起と第２の一対の突起を設け、これらの対の突起を９０度の間隔に配置する場合について示したが、９０度以外の間隔でこれらの突起を設けてもよく、又、突起の対数は１、若しくは３以上であっても良いことは勿論である。
【図面の簡単な説明】
【００５７】
【図１】この発明の実施の形態１に於ける端子装置を備えた回路遮断器の正面図である。
【図２】図１に於けるＡ−Ａ線に沿う矢印方向の断面図である。
【図３】図１のＢ−Ｂ線に沿う矢印方向の断面図である。
【図４】この発明の実施の形態１に係る端子装置の端子取付ベースを説明する説明図である。
【図５】この発明の実施の形態１に係る端子装置の接続端子を説明する説明図である。
【図６】この発明の実施の形態１に係る端子装置の平面図である。
【図７】この発明の実施の形態１に係る端子装置の底面図である。
【図８】図７のＧ−Ｇ線に沿う矢印方向の断面図である。
【図９】図８の破線で囲むＸ部分の拡大図である。
【図１０】図６のＦ−Ｆ線に沿う矢印方向の断面図である。
【図１１】この発明の実施の形態１に係る端子装置に於ける接続端子の取付け手順を説明する説明図である。
【図１２】この発明の実施の形態２に係る端子装置の接続端子を示す正面図である。
【符号の説明】
【００５８】
１    回路遮断器
２    ベース
３    カバー
４、５、６    電源側端子導体
７、８、９    負荷側端子導体
１０    可動接点
１１    可動接触子
１２    操作ハンドル
１３    開閉機構
１４    クロスバー
１５    固定接点
１６    過負荷引外手段
４０１１、４０１２、５０１１、５０１２、６０１１、６０１２、７０１１、７０
１２、８０１１、８０１２、９０１１、９０１２    締付ボルト
４０１、５０１、６０１、７０１、８０１、９０１    導体ブロック
１７、１８    端子装置
１９    遮断器取付板
２０、２１    取付孔
２２、２９    端子取付ベース
２３、３０    端子取付ベースの裏面
２４、２５、２６、３１、３２、３３    壁部
２４１、２５１、２６１、３４１、３５１、３６１    貫通孔
２７、３７    端子取付ベースの表面
２８、３８    凸状部
２４１１、２４１２、２５１１、２５１２、２６１１、２６１２、３４１１、３４１２、３５１１、３５１２、３６１１、３６１２    第１の一対の突起
２４２１、２４２２、２５２１、２５２２、２６２１、２６２２、３４２１、３４２２、３５２１、３５２２、３６２１、３６２２    第２の一対の突起
２４１１Ｓ、２４１２Ｓ、２５１１Ｓ、２５１２Ｓ、２６１１Ｓ、２６１２Ｓ、２４２１Ｓ、２４２２Ｓ、２５２１Ｓ、２５２２Ｓ、２６２１Ｓ、２６２２Ｓ、３４１１Ｓ、３４１２Ｓ、３５１１Ｓ、３５１２Ｓ、３６１１Ｓ、３６１２Ｓ、３４２１Ｓ、３４２２Ｓ、３５２１Ｓ、３５２２Ｓ、３６２１Ｓ、３６２２Ｓ    傾斜面
３７、３８、３９、７３、７４、７５、１０００    接続端子
３７１、３８１、３９１、７３１、７４１、７５１、１００１    第１の接続部
３７１０、３８１０、３９１０、３７２０、３８２０、３９２０、７３１０、７４１０、７５１０、７３２０、７４２０、７５２０    接続面
４１、４２、５１、５２、６１、６２、７１、７２、８１、８２、９１、９２、８３、８４、８５、８６、８７、８８、１００４、１００５    端子取付ネジ貫通用孔
３７２、３８２、３９２、７３２、７４２、７５２    第２の接続部
３７１１Ｓ、３７１２Ｓ、３８１１Ｓ、３８１２Ｓ、３９１１Ｓ、３９１２Ｓ、７３１１Ｓ、７３１２Ｓ、７４１１Ｓ、７４１２Ｓ、７５１１Ｓ、７５１２Ｓ    傾斜部
９３、９４、９５、９６、９７、９８    端子取付ネジ
９３１、９４１、９５１、９６１、９７１、９８１    ネジ頭部
１０１、１０２、１０３、１０４、１０５、１０６    ワッシャ
１００２、１００３    突出部
【図１】
2008159416.tif 000003
【図２】
2008159416.tif 000004
【図３】
2008159416.tif 000005
【図４】
2008159416.tif 000006
【図５】
2008159416.tif 000007
【図６】
2008159416.tif 000008
【図７】
2008159416.tif 000009
【図８】
2008159416.tif 000010
【図９】
2008159416.tif 000011
【図１０】
2008159416.tif 000012
【図１１】
2008159416.tif 000013
【図１２】
2008159416.tif 000014